(57)【要約】  無線端末（１Ａ）は、他の無線端末（１Ｂ）から無線送信される発見信号（２０１）をデバイス・ツー・デバイス（Ｄ２Ｄ）通信を介して受信し、セルラー通信（１０１）を介してネットワーク（２、３）に発見報告（２０２、３０２）を送信する。当該発見報告は、（ａ）他の無線端末（１Ｂ）の識別子、（ｂ）他の無線端末（１Ｂ）が属する１又は複数のＤ２Ｄ通信ペアの識別子、（ｃ）他の無線端末（１Ｂ）が関連付けられている基地局又はセルの識別子、（ｄ）他の無線端末（１Ｂ）からの発見信号の受信電力、及び（ｅ）他の無線端末（１Ｂ）からの発見信号の検出回数のうち少なくとも１つを示す。これにより、例えば、ネットワークでの利用に適したコンテンツを包含するディスカバリ（発見）報告を可能にできる。
2016194264.tif 000002
【特許請求の範囲】
【請求項１】
少なくとも１つの無線トランシーバと、
セルラー通信およびデバイス・ツー・デバイス（Ｄ２Ｄ）通信を前記少なくとも１つの無線トランシーバを使用して行うよう構成された少なくとも１つのプロセッサと、
を備え、
前記少なくとも１つのプロセッサは、少なくとも１つの他の無線端末の各々から無線送信される発見信号を前記Ｄ２Ｄ通信を介して受信するよう構成されるとともに、前記セルラー通信を介してネットワークに発見報告を送信するよう構成され、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
無線端末装置。
【請求項２】
前記少なくとも１つのプロセッサは、前記セルラー通信を介して前記ネットワークから報告要求を受信したことに応答して、前記発見報告を前記ネットワークに送信するよう構成されている、
請求項１に記載の無線端末装置。
【請求項３】
前記報告要求は、前記無線端末装置又は前記少なくとも１つの他の無線端末のいずれかからＤ２Ｄ通信のための情報を受信したことに応答して前記ネットワークから送信される、
請求項２に記載の無線端末装置。
【請求項４】
前記報告要求は、ネットワークレベル・ディスカバリによる前記無線端末装置と前記少なくとも１つの他の無線端末との近接の検出に応答して前記ネットワークから送信され、
前記ネットワークレベル・ディスカバリは、前記無線端末装置と前記少なくとも１つの他の無線端末との近接を検出するために前記無線端末装置および前記少なくとも１つの他の無線端末の現在位置を前記ネットワークにおいて追跡することを含む、
請求項２に記載の無線端末装置。
【請求項５】
前記少なくとも１つのプロセッサは、過去に発見していない無線端末から前記発見信号を受信した場合に、前記発見報告を前記ネットワークに送信するよう構成されている、
請求項１に記載の無線端末装置。
【請求項６】
前記少なくとも１つのプロセッサは、過去に前記発見信号を受信した無線端末から前記発見信号を新たに受信する前に所定期間が満了した場合に、前記発見報告を前記ネットワークに送信するよう構成されている、
請求項１に記載の無線端末装置。
【請求項７】
前記少なくとも１つのプロセッサは、いずれかの無線端末から同期信号を受信したことに応答して、前記発見信号の受信動作を開始するよう構成されている、
請求項１〜６のいずれか１項に記載の無線端末装置。
【請求項８】
前記少なくとも１つのプロセッサは、ある無線端末から前記発見信号を受信したがその受信電力が所定値を下回る場合に、前記ある無線端末の発見を記録しないよう構成されている、
請求項１〜７のいずれか１項に記載の無線端末装置。
【請求項９】
前記発見報告は、前記無線端末装置によって行われる中継処理によってそのトラフィックを中継される無線端末を決定するために前記ネットワークにおいて使用される、
請求項１〜８のいずれか１項に記載の無線端末装置。
【請求項１０】
前記発見信号は、前記少なくとも１つの他の無線端末がいずれかの無線端末から同期信号を受信したことに応答して、前記少なくとも１つの他の無線端末によって送信される、
請求項１〜９のいずれか１項に記載の無線端末装置。
【請求項１１】
前記同期信号は、前記ネットワークのカバレッジ境界の近傍に位置する無線端末によって送信される、
請求項７又は１０に記載の無線端末装置。
【請求項１２】
前記少なくとも１つのプロセッサは、前記ネットワーク内の基地局又はＤ２Ｄコントローラに前記発見報告を送信するよう構成されている、
請求項１〜１１のいずれか１項に記載の無線端末装置。
【請求項１３】
無線端末装置における方法であって、
少なくとも１つの他の無線端末の各々から無線送信される発見信号をデバイス・ツー・デバイス（Ｄ２Ｄ）通信を介して受信すること、及び
セルラー通信を介してネットワークに発見報告を送信すること、
を備え、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
方法。
【請求項１４】
前記発見報告を前記送信することは、前記セルラー通信を介して前記ネットワークから報告要求を受信したことに応答して、前記発見報告を前記ネットワークに送信することを含む、
請求項１３に記載の方法。
【請求項１５】
前記報告要求は、前記無線端末装置又は前記少なくとも１つの他の無線端末のいずれかからＤ２Ｄ通信のための情報を受信したことに応答して前記ネットワークから送信される、
請求項１４に記載の方法。
【請求項１６】
前記報告要求は、ネットワークレベル・ディスカバリによる前記無線端末装置と前記少なくとも１つの他の無線端末との近接の検出に応答して前記ネットワークから送信され、
前記ネットワークレベル・ディスカバリは、前記無線端末装置と前記少なくとも１つの他の無線端末との近接を検出するために前記無線端末装置および前記少なくとも１つの他の無線端末の現在位置を前記ネットワークにおいて追跡することを含む、
請求項１４に記載の方法。
【請求項１７】
前記発見報告を前記送信することは、過去に発見していない無線端末から前記発見信号を受信した場合に、前記発見報告を前記ネットワークに送信することを含む、
請求項１３に記載の方法。
【請求項１８】
前記発見報告を前記送信することは、過去に前記発見信号を受信した無線端末から前記発見信号を新たに受信する前に所定期間が満了した場合に、前記発見報告を前記ネットワークに送信することを含む、
請求項１３に記載の方法。
【請求項１９】
いずれかの無線端末から同期信号を受信したことに応答して、前記発見信号の受信動作を開始することをさらに備える、
請求項１３〜１８のいずれか１項に記載の方法。
【請求項２０】
前記同期信号は、前記ネットワークのカバレッジ境界の近傍に位置する無線端末によって送信される、
請求項１９に記載の方法。
【請求項２１】
無線端末装置における方法をコンピュータに行わせるためのプログラムを格納した非一時的なコンピュータ可読媒体であって、
前記方法は、
少なくとも１つの他の無線端末の各々から無線送信される発見信号をデバイス・ツー・デバイス（Ｄ２Ｄ）通信を介して受信する、及び
セルラー通信を介してネットワークに発見報告を送信すること、
を備え、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
非一時的なコンピュータ可読媒体。
【請求項２２】
メモリと、
前記メモリに結合されたプロセッサと、
を備え、
前記少なくとも１つのプロセッサは、セルラー通信を介して第１の無線端末から発見報告を受信するよう構成され、
前記発見報告は、前記第１の無線端末が少なくとも１つの他の無線端末の各々から無線送信される発見信号を受信した前記少なくとも１つの他の無線端末に関し、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
ネットワークノード。
【請求項２３】
前記少なくとも１つのプロセッサは、前記第１の無線端末によって行われる中継処理によってそのトラフィックを中継される無線端末を決定するために前記発見報告を使用するよう構成されている、
請求項２２に記載のネットワークノード。
【請求項２４】
前記少なくとも１つのプロセッサは、前記第１の無線端末に前記発見報告の送信を要求するよう構成されている、
請求項２２又は２３に記載のネットワークノード。
【請求項２５】
前記少なくとも１つのプロセッサは、前記第１の無線端末又は前記少なくとも１つの他の無線端末のいずれかからＤ２Ｄ通信のため情報を受信したことに応答して、前記発見報告の送信を要求するよう構成されている、
請求項２４に記載のネットワークノード。
【請求項２６】
前記少なくとも１つのプロセッサは、前記少なくとも１つの他の無線端末に対して前記発見信号の送信を要求するよう構成されている、
請求項２２〜２５のいずれか１項に記載のネットワークノード。
【請求項２７】
前記少なくとも１つのプロセッサは、同期信号を送信している無線端末に対して前記発見信号の送信を要求するよう構成されている、
請求項２６に記載のネットワークノード。
【請求項２８】
前記少なくとも１つのプロセッサは、ネットワークレベル・ディスカバリによる前記第１の無線端末と前記少なくとも１つの他の無線端末との近接の検出に応答して、前記少なくとも１つの他の無線端末の各々に前記発見信号の送信を要求するよう構成され、
前記ネットワークレベル・ディスカバリは、前記第１の無線端末と前記少なくとも１つの他の無線端末との近接を検出するために前記第１の無線端末および前記少なくとも１つの他の無線端末の現在位置をネットワークにおいて追跡することを含む、
請求項２６に記載のネットワークノード。
【請求項２９】
前記少なくとも１つのプロセッサは、前記第１の無線端末又は前記少なくとも１つの他の無線端末が所定の領域に存在する場合に、前記少なくとも１つの他の無線端末に発見信号の送信を要求するよう構成されている、
請求項２６に記載のネットワークノード。
【請求項３０】
前記ネットワークノードは、基地局又はＤ２Ｄコントローラである、
請求項２２〜２９のいずれか１項に記載のネットワークノード。
【請求項３１】
ネットワークノードにおける方法であって、
セルラー通信を介して第１の無線端末から発見報告を受信することを備え、
前記発見報告は、前記第１の無線端末が少なくとも１つの他の無線端末の各々から無線送信される発見信号を受信した前記少なくとも１つの他の無線端末に関し、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
方法。
【請求項３２】
前記第１の無線端末によって行われる中継処理によってそのトラフィックを中継される無線端末を決定するために前記発見報告を使用することをさらに備える、
請求項３１に記載の方法。
【請求項３３】
前記第１の無線端末に前記発見報告の送信を要求することをさらに備える、
請求項３１又は３２に記載の方法。
【請求項３４】
前記発見報告の送信を前記要求することは、前記第１の無線端末又は前記少なくとも１つの他の無線端末のいずれかからＤ２Ｄ通信のための上場を受信したことに応答して、前記発見報告の送信を要求することを含む、
請求項３３に記載の方法。
【請求項３５】
前記少なくとも１つの他の無線端末に対して前記発見信号の送信を要求することをさらに備える、
請求項３１〜３４のいずれか１項に記載の方法。
【請求項３６】
前記発見信号の送信を前記要求することは、同期信号を送信している無線端末に対して前記発見信号の送信を要求することを含む、
請求項３５に記載の方法。
【請求項３７】
前記発見信号の送信を前記要求することは、ネットワークレベル・ディスカバリによる前記第１の無線端末と前記少なくとも１つの他の無線端末との近接の検出に応答して、前記少なくとも１つの他の無線端末の各々に前記発見信号の送信を要求することを含み、
前記ネットワークレベル・ディスカバリは、前記第１の無線端末と前記少なくとも１つの他の無線端末との近接を検出するために前記第１の無線端末および前記少なくとも１つの他の無線端末の現在位置をネットワークにおいて追跡することを含む、
請求項３５に記載の方法。
【請求項３８】
前記発見信号の送信を前記要求することは、前記第１の無線端末又は前記少なくとも１つの他の無線端末が所定の領域に存在する場合に、前記少なくとも１つの他の無線端末に発見信号の送信を要求することを含む、
請求項３５に記載の方法。
【請求項３９】
ネットワークノードにおける方法をコンピュータに行わせるためのプログラムを格納した非一時的なコンピュータ可読媒体であって、
前記方法は、セルラー通信を介して第１の無線端末から発見報告を受信することを備え、
前記発見報告は、前記第１の無線端末が少なくとも１つの他の無線端末の各々から無線送信される発見信号を受信した前記少なくとも１つの他の無線端末に関し、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
非一時的なコンピュータ可読媒体。
【請求項４０】
無線端末装置であって、
少なくとも１つの無線トランシーバと、
セルラー通信およびデバイス・ツー・デバイス（Ｄ２Ｄ）通信を前記少なくとも１つの無線トランシーバを使用して行うよう構成された少なくとも１つのプロセッサと、
を備え、
前記少なくとも１つのプロセッサは、いずれかの無線端末から同期信号を受信したことに応答して、前記少なくとも１つの無線トランシーバを用いた発見信号の送信動作を開始するよう構成され、
前記発見信号は、前記無線端末装置を発見するために他の無線端末によって使用される、
無線端末装置。
【請求項４１】
前記同期信号は、ネットワークのカバレッジ境界の近傍に位置する無線端末によって送信される、
請求項４０に記載の無線端末装置。
【請求項４２】
前記発見信号は、（ａ）前記無線端末装置の識別子、（ｂ）前記無線端末装置が属する１又は複数のＤ２Ｄ通信ペアの識別子、及び（ｃ）前記無線端末装置が関連付けられている基地局又はセルの識別子のうち少なくとも１つを含む、
請求項４０又は４１に記載の無線端末装置。
【請求項４３】
無線端末装置における方法であって、
いずれかの無線端末から同期信号を受信したことに応答して、発見信号の送信動作を開始することを備え、
前記発見信号は、前記無線端末装置を発見するために他の無線端末によって使用される、
方法。
【請求項４４】
前記同期信号は、ネットワークのカバレッジ境界の近傍に位置する無線端末によって送信される、
請求項４３に記載の方法。
【請求項４５】
無線端末装置における方法をコンピュータに行わせるためのプログラムを格納した非一時的なコンピュータ可読媒体であって、
前記方法は、いずれかの無線端末から同期信号を受信したことに応答して、発見信号の送信動作を開始することを備え、
前記発見信号は、前記無線端末装置を発見するために他の無線端末によって使用される、
非一時的なコンピュータ可読媒体。
【発明の詳細な説明】
【技術分野】
【０００１】
本開示は、端末間直接通信（device-to-device（D2D）通信）に関し、特にD2D通信における近傍の無線端末のディスカバリ（発見）に関する。
【背景技術】
【０００２】
いくつかの実装において、無線端末は、他の無線端末と直接的に通信できるよう構成される（例えば、特許文献１を参照）。このような通信は、device-to-device（D2D）通信と呼ばれる。D2D通信は、ダイレクト通信およびダイレクト・ディスカバリの少なくとも一方を含む。いくつかの実装において、D2D通信をサポートする複数の無線端末は、自律的に又はネットワークの指示に従ってD2D通信グループを形成し、当該D2D通信グループ内の他の無線端末と通信を行う。【０００３】
3GPP Release 12は、Proximity-based services（ProSe）について規定している（例えば、非特許文献１を参照）。ProSeは、ProSeディスカバリ（ProSe discovery）及びProSeダイレクト通信（ProSe direct communication）を含む。ProSeディスカバリは、無線端末が近接していること（in proximity）の検出を可能にする。ProSeディスカバリは、ダイレクト・ディスカバリ（ProSe Direct Discovery）及びネットワークレベル・ディスカバリ（EPC-level ProSe Discovery）を含む。【０００４】
ProSeダイレクト・ディスカバリは、ProSeを実行可能な無線端末（ProSe-enabled User Equipment（UE））が他のProSe-enabled UEをこれら２つのUEが有する無線通信技術（例えば、Evolved Universal Terrestrial Radio Access (E-UTRA) technology）の能力だけを用いて発見する手順により行われる。これに対して、EPC-level ProSe Discoveryでは、コアネットワーク（Evolved Packet Core (EPC)）が２つのProSe-enabled UEsの近接を判定し、これをこれらのUEsに知らせる。ProSeダイレクト・ディスカバリは、３つ以上のProSe-enabled UEsにより行われてもよい。【０００５】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、wireless local area network (WLAN)の無線技術（つまり、IEEE 802.11 radio technology）を用いて行われてもよい。【０００６】
ProSeダイレクト・ディスカバリ及びProSeダイレクト通信は、UE間のダイレクトインタフェースにおいて行われる。当該ダイレクトインタフェースは、PC5インタフェース又はサイドリンク（sidelink）と呼ばれる。すなわち、ProSeダイレクト・ディスカバリ及びProSeダイレクト通信は、D2D通信の一例である。なお、D2D通信は、サイドリンク通信と呼ぶこともでき、peer-to-peer通信と呼ぶこともできる。【０００７】
3GPP Release 12では、ProSe functionが公衆地上移動通信ネットワーク（PLMN）を介してProSe-enabled UEと通信し、ProSeディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeディスカバリ及びProSeダイレクト通信のためのUEの認証、（ｃ）ProSeディスカバリ及びProSeダイレクト通信のための設定情報（例えば、EPC-ProSe-User IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。本明細書では、ProSe functionを実行する１又は複数のネットワークノード又はエンティティを“ProSe function エンティティ”又は“ProSe functionサーバ”と呼ぶ。【０００８】
なお、3GPP Release 12のProSeは、複数の無線端末の地理的な位置の近接に基づいて提供される近接サービス（Proximity-based services（ProSe））の１つの具体例である。公衆地上移動通信ネットワーク（PLMN）における近接サービスは、3GPP Release 12のProSeと同様に、ネットワークに配置された機能又はノード（例えば、ProSe function）によって支援されるディスカバリ・フェーズ及びダイレクト通信フェーズを含む。ディスカバリ・フェーズでは、複数の無線端末の地理的位置の近接が判定又は検出される。ダイレクト通信フェーズでは複数の無線端末によってダイレクト通信が行われる。ダイレクト通信は、近接する複数の無線端末の間で公衆地上移動通信ネットワーク（PLMN）を介さずに行われる通信である。
【先行技術文献】
【非特許文献】
【０００９】
【非特許文献１】3GPP TS 23.303 V12.4.0 (2015-03), “3rd Generation Partnership Project; Technical Specification Group Services and System Aspects; Proximity-based services (ProSe); Stage 2 (Release 12)”, 2015年3月
【特許文献】
【００１０】
【特許文献１】特開２０１３−２２３１９２号公報
【発明の概要】
【発明が解決しようとする課題】
【００１１】
上述したように、3GPP Release 12 ProSeは、２又はそれ以上のUEsの近接を検出するためのダイレクト・ディスカバリ（i.e., ProSeダイレクト・ディスカバリ）及びネットワークレベル・ディスカバリ（i.e., EPC-level ProSe Discovery）を提供する。【００１２】
EPC-level ProSe Discoveryは、２又はそれ以上のUEsの位置情報を使用してこれらのUEsの近接を判定する。UEの位置情報は、例えば、Global Navigation Satellite System（GNSS）レシーバによって得られるGNSS位置情報である。しかしながら、EPC-level ProSe Discoveryのみによる近接判定は、２又はそれ以上のUEsが実際に通信可能であるか否かを判定するためには十分ではないかもしれない。例えば、仮に２つのUEsが地理的に近くに位置しても、何らかの遮蔽物の存在又は干渉波の存在がこれらのUEsの通信を妨げるかもしれない。【００１３】
一方、PeoSeダイレクト・ディスカバリでの近接判定は、UEが他のUEによって無線送信されるディスカバリ（発見）信号（又はディスカバリ・メッセージ）を受信できたか否かに基づく。したがって、ProSeダイレクト・ディスカバリは、２又はそれ以上のUEsがサイドリンクにおいてダイレクト通信を行えるか否かをネットワークにおいて知るために有効であるかもしれない。【００１４】
PeoSeダイレクト・ディスカバリの詳細手順は、例えば、非特許文献１のセクション5.3 “ProSe Direct Discovery” に記載されている。当該手順によると、monitoring UEは、announcing UEが使用するProSe Application Codeに対応した discovery filterを用いて受信信号をモニターする。ここで、announcing UE は、ディスカバリ信号を送信するUEであり、monitoring UEは、関心のある情報に関するannouncing UEの近接を検出するためにディスカバリ信号の受信を試みるUEである。そして、monitoring UEは、discovery filterにマッチするProSe Application Codeを包含するディスカバリ信号を見つけた場合に、マッチレポート（Match report）をProSe Functionに送信する。【００１５】
Monitoring UEによって送信されるマッチレポートは、monitoring UE が検出したdiscovery filterにマッチするProSe Application Codeと、当該monitoring UEのUE Identity（e.g., IMSI）を含む。なお、ProSe Application Codeは、ProSe Application IDに関連付けられている。ProSe Application IDは、ProSe-enabled UEのためのアプリケーションに関する情報を特定する。【００１６】
本件発明者等は、ダイレクト・ディスカバリの結果をいくつかの新たな用途に利用することを検討している。例えば、ダイレクト・ディスカバリの結果は、ダイレクト通信への無線リソースの割り当て、及びリレーUEの選択のために利用されることができる。リレーUEは、他のUE（e.g., カバレッジ外UE）とネットワークの間で他のUEのトラッフィクを中継する。これらの用途を想定した場合、上述の非特許文献１のセクション5.3に規定されたマッチレポートは、十分な情報をネットワークに提供できないかもしれない。【００１７】
従って、本明細書に開示される実施形態が達成しようとする目的の１つは、ネットワークでの利用に適したコンテンツを包含するディスカバリ（発見）報告を可能とする装置、方法、及びプログラムを提供することである。
【課題を解決するための手段】
【００１８】
第１の態様では、無線端末装置は、少なくとも１つの無線トランシーバ及び少なくとも１つのプロセッサを含む。前記少なくとも１つのプロセッサは、セルラー通信およびデバイス・ツー・デバイス（Ｄ２Ｄ）通信を前記少なくとも１つの無線トランシーバを使用して行うよう構成されている。前記少なくとも１つのプロセッサは、さらに、少なくとも１つの他の無線端末の各々から無線送信される発見信号を前記Ｄ２Ｄ通信を介して受信するよう構成されるとともに、前記セルラー通信を介してネットワークに発見報告を送信するよう構成されている。前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す。【００１９】
第２の態様では、無線端末装置における方法は、（ａ）少なくとも１つの他の無線端末の各々から無線送信される発見信号をデバイス・ツー・デバイス（Ｄ２Ｄ）通信を介して受信すること、及び（ｂ）セルラー通信を介してネットワークに発見報告を送信すること、を含む。前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す。【００２０】
第３の態様では、ネットワークノードは、メモリ及び前記メモリに結合されたプロセッサを含む。前記少なくとも１つのプロセッサは、セルラー通信を介して第１の無線端末から発見報告を受信するよう構成されている。前記発見報告は、前記第１の無線端末が少なくとも１つの他の無線端末の各々から無線送信される発見信号を受信した前記少なくとも１つの他の無線端末に関する。前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す。【００２１】
第４の態様では、ネットワークノードにおける方法は、セルラー通信を介して第１の無線端末から発見報告を受信することを含む。前記発見報告は、前記第１の無線端末が少なくとも１つの他の無線端末の各々から無線送信される発見信号を受信した前記少なくとも１つの他の無線端末に関する。前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す。【００２２】
第５の態様では、無線端末装置は、少なくとも１つの無線トランシーバ及び少なくとも１つのプロセッサを含む。前記少なくとも１つのプロセッサは、セルラー通信およびデバイス・ツー・デバイス（Ｄ２Ｄ）通信を前記少なくとも１つの無線トランシーバを使用して行うよう構成されている。前記少なくとも１つのプロセッサは、さらに、前記少なくとも１つのプロセッサは、いずれかの無線端末から同期信号を受信したことに応答して、前記少なくとも１つの無線トランシーバを用いた発見信号の送信動作を開始するよう構成されている。前記発見信号は、前記無線端末装置を発見するために他の無線端末によって使用される。【００２３】
第６の態様では、無線端末装置における方法は、いずれかの無線端末から同期信号を受信したことに応答して、発見信号の送信動作を開始することを含む。前記発見信号は、前記無線端末装置を発見するために他の無線端末によって使用される。【００２４】
第７の態様では、プログラムは、コンピュータに読み込まれた場合に、上述の第２、第４、又は第６の態様に係る方法をコンピュータに行わせるための命令群（ソフトウェアコード）を含む。
【発明の効果】
【００２５】
上述の態様によれば、ネットワークでの利用に適したコンテンツを包含するディスカバリ（発見）報告を可能とする装置、方法、及びプログラムを提供できる。
【図面の簡単な説明】
【００２６】
【図１】第１の実施形態に係る無線通信ネットワークの構成例を示す図である。
【図２】第１の実施形態に係る無線端末によって行われるダイレクト・ディスカバリ動作の一例を説明するための図である。
【図３】第１の実施形態に係る無線端末によって行われるダイレクト・ディスカバリ動作の一例を説明するための図である。
【図４】第１の実施形態に係る無線端末（モニタリング端末）の動作の一例を示すフローチャートである。
【図５】第２の実施形態に係るダイレクト・ディスカバリ手順の一例を示すシーケンス図である。
【図６】第２の実施形態に係る無線端末（モニタリング端末）の動作の一例を示すフローチャートである。
【図７】第２の実施形態に係るネットワークノードの動作の一例を示すフローチャートである。
【図８】第３の実施形態に係るダイレクト・ディスカバリ手順の一例を示すシーケンス図である。
【図９】第３の実施形態に係る無線端末（アナウンシング端末）の動作の一例を示すフローチャートである。
【図１０】第４の実施形態に係るダイレクト・ディスカバリ手順の一例を示すシーケンス図である。
【図１１】いくつかの実施形態に係る無線端末の構成例を示すブロック図である。
【図１２】いくつかの実施形態に係る基地局の構成例を示すブロック図である。
【図１３】いくつかの実施形態に係るD2Dコントローラの構成例を示すブロック図である。
【発明を実施するための形態】
【００２７】
以下では、具体的な実施形態について、図面を参照しながら詳細に説明する。各図面において、同一又は対応する要素には同一の符号が付されており、説明の明確化のため、必要に応じて重複説明は省略される。
【００２８】
＜第１の実施形態＞
図１は、本実施形態に係る無線通信ネットワークの構成例を示している。無線端末（mobile station（MS））１Ａ及び１Ｂの各々は、少なくとも１つの無線トランシーバを有し、基地局２とのセルラー通信（１０１又は１０２）を行うとともに、端末間ダイレクトインタフェース（e.g., PC5インタフェース又はサイドリンク）１０３上D2D通信（e.g., ProSeダイレクト・ディスカバリ及びProSeダイレクト通信）を行うよう構成されている。基地局２は、セル２１を管理し、セルラー通信技術（e.g., Evolved Universal Terrestrial Radio Access (E-UTRA) technology）を用いて複数の無線端末１の各々とセルラー通信（１０１及び１０２）を行うことができる。なお、図１の例では、説明の簡略化のために複数の無線端末１Ａ及び１Ｂが同じセル２１内に位置している状況を示しているが、このような配置は一例に過ぎない。例えば、無線端末１Ａは、異なる基地局２によって管理される互いに隣接する２つのセルの一方のセル内に位置し、無線端末１Ｂは他方のセル内に位置してもよい。
【００２９】
コアネットワーク（i.e., Evolved Packet Core（EPC））４は、複数のユーザープレーン・エンティティ（e.g., Serving Gateway (S-GW)及びPacket Data Network Gateway (P-GW)）、及び複数のコントロールプレーン・エンティティ（e.g., Mobility Management Entity（MME）及びHome Subscriber Server（HSS））を含む。複数のユーザープレーン・エンティティは、基地局２を含む無線アクセスネットワークと外部ネットワークとの間で無線端末１Ａ及び１Ｂのユーザデータを中継する。複数のコントロールプレーン・エンティティは、無線端末１Ａ及び１Ｂのモビリティ管理、セッション管理（ベアラ管理）、加入者情報管理、及び課金管理を含む様々な制御を行う。
【００３０】
いくつかの実装において、近接サービス（e.g., 3GPP ProSe）を利用するために、無線端末１Ａ及び１Ｂは、基地局２及びコアネットワーク４を介してD2Dコントローラ３と通信するよう構成される。例えば、3GPP ProSeの場合、D2Dコントローラ３は、ProSe function エンティティに相当する。無線端末１Ａ及び１Ｂは、例えば、D2Dコントローラ３によって提供されるネットワークレベル・ディスカバリ（e.g., EPC-level ProSe Discovery）を利用してもよいし、D2D通信（e.g., ProSe Direct Discovery又はProSe Direct Communication）の無線端末１Ａ及び１Ｂにおける起動（有効化、activation）を許可することを示すメッセージをD2Dコントローラ３から受信してもよいし、セル２１におけるD2D通信に関する設定情報をD2Dコントローラ３から受信してもよい。
【００３１】
続いて以下では、本実施形態に係るダイレクト・ディスカバリ（直接発見）手順について図２〜図４を参照して説明する。本実施形態に係る無線端末１は、少なくとも１つの他の無線端末１の各々から無線送信される発見信号（発見メッセージ）をＤ２Ｄ通信（１０３）を介して受信するよう構成されている。無線端末１は、当該発見信号を受信することによって、これら少なくとも１つの他の無線端末を発見することができる。無線端末１は、さらに、セルラー通信（１０１又は１０２）を介してネットワークにディスカバリ（発見）報告を送信するよう構成されている。ここで、当該発見報告は、（ａ）発見された少なくとも１つの他の無線端末１の各々の識別子、（ｂ）発見された少なくとも１つの他の無線端末の各々が属する１又は複数のD2D通信ペアの識別子、（ｃ）発見された少なくとも１つの他の無線端末の各々が関連付けられている基地局２又はセル２１の識別子、（ｄ）発見された少なくとも１つの他の無線端末１の各々からの発見信号の受信電力、及び（ｅ）少なくとも１つの他の無線端末１の各々からの発見信号の検出回数、のうち少なくとも１つを示す。
【００３２】
本実施形態に係る発見報告に含まれる上述のコンテンツ（ａ）〜（ｅ）は、ネットワークノード（e.g., 基地局２又はD2コントローラ３）におけるダイレクト通信に関する決定のために有用である。例えば、これらのコンテンツ（ａ）〜（ｅ）は、発見報告の送信元である無線端末１がダイレクト通信を行うべき相手端末を決定するためにネットワークノードにおいて利用されることができる。あるいは、これらのコンテンツ（ａ）〜（ｅ）は、発見報告の送信元である無線端末１によって行われる中継処理によってそのトラフィックを中継される無線端末を決定するためにネットワークノードにおいて利用されることができる。あるいは、これらのコンテンツ（ａ）〜（ｅ）は、発見報告の送信元である無線端末１によるダイレクト通信への無線リソースの割り当てを決定するためにネットワークノードにおいて利用されることができる。
【００３３】
例えば、“（ａ）発見された少なくとも１つの他の無線端末１の各々の識別子”は、発見報告の送信元である無線端末１とのダイレクト通信が可能な端末候補をネットワークノードにおいて正確に知るために利用されることができる。
【００３４】
“（ｂ）発見された少なくとも１つの他の無線端末の各々が属する１又は複数のD2D通信ペアの識別子”は、発見報告の送信元である無線端末１によるダイレクト通信が干渉を受ける又は干渉を与える可能性のあるD2D通信ペアをネットワークノードにおいて知るために利用されることができる。なお、「D2D通信ペア」との用語は、D2D送信を行うD2D送信端末とD2D受信端末のペアを意味する。「D2D送信」は、各D2D通信ペアに属する一方の無線端末が他方の無線端末に基地局２を介さずに直接的に無線送信することを含む。
【００３５】
“（ｃ）発見された少なくとも１つの他の無線端末の各々が関連付けられている基地局２又はセル２１の識別子”は、発見報告の送信元である無線端末１によって発見された無線端末がいずれの基地局２に関連付けられているか（又は、発見された無線端末がいずれのセル２１に属しているか）をネットワークノードにおいて知ることができる。言い換えると、ネットワークノードは、セル間でのD2D通信が必要であるか否かを知ることができる。
【００３６】
“（ｄ）発見された少なくとも１つの他の無線端末１の各々からの発見信号の受信電力”は、発見報告の送信元である無線端末１とのダイレクト通信が可能な端末候補の優先順位を決定するためにネットワークノードにおいて利用されることができる。あるいは、ネットワークノードは、発見報告の送信元である無線端末１によるダイレクト通信のスループットを推定するために当該情報を利用してもよく、当該情報に基づいて推定されるスループットに応じて当該ダイレクト通信に無線リソースを割り当ててもよい。
【００３７】
“（ｅ）少なくとも１つの他の無線端末１の各々からの発見信号の検出回数”も、発見報告の送信元である無線端末１とのダイレクト通信が可能な端末候補の優先順位を決定するためにネットワークノードにおいて利用されることができる。
【００３８】
図４は、無線端末１による発見報告の送信動作の一例（処理４００）を示すフローチャートである。ブロック４０１では、無線端末１は、少なくとも１つの他の無線端末１の各々から無線送信されるディスカバリ（発見）信号をD2D通信（１０３）を介して受信する。すなわち、無線端末１は、当該発見信号の受信によってこれら少なくとも１つの他の無線端末を発見する。ブロック４０２では、無線端末１は、ブロック４０１にて発見された少なくとも１つの他の無線端末１に関する発見報告を、セルラー通信（１０１又は１０２）を介してネットワークに送信する。
【００３９】
なお、無線端末１が上記発見報告を基地局２に対して報告するために、近傍無線端末によって送信される発見信号は、（ａ）自端末の識別子、（ｂ）自端末が属する１又は複数のD2D通信ペアの識別子、及び（ｃ）自端末が関連付けられている基地局又はセルの識別子のうち少なくとも１つを含んでもよい。
【００４０】
以上の説明から理解されるように、無線端末１は、発見信号の受信動作によって発見した他の無線端末１に関する上述のコンテンツ（ａ）〜（ｅ）のうち少なくとも１つを含む発見報告をネットワークに報告するよう構成されている。したがって、本実施形態に係る無線端末１は、ネットワークでの利用に適したコンテンツを包含するディスカバリ（発見）報告を行うことができる。
【００４１】
続いて以下では、発見報告に関するその他の詳細について説明する。無線端末１による発見報告の宛て先とされるネットワークノードは、当該発見報告の用途に応じて適宜定められてもよい。いくつかの実装において、図２に示されるように、各無線端末１は、他の無線端末１によって検出されるための発見信号２０１を送信するとともに、少なくとも１つの他の無線端末１からの発見信号の受信に基づく発見報告２０２を基地局２に送信してもよい。これに代えて、図３に示されるように、各無線端末１は、他の無線端末１によって検出されるための発見信号２０１を送信するとともに、少なくとも１つの他の無線端末１からの発見信号の受信に基づく発見報告３０２をD2Dコントローラ３に送信してもよい。
【００４２】
無線端末１は、発見報告を周期的に行ってもよいし、非周期的に行ってもよい。例えば、無線端末１は、過去に発見していない他の無線端末１から発見信号を受信した場合に、発見報告をネットワークに送信してもよい。さらに又はこれに代えて、無線端末１は、過去に発見信号を受信した他の無線端末１から発見信号を新たに受信する前に所定期間が満了した場合に、発見報告をネットワークに送信してもよい。
【００４３】
さらに又はこれに代えて、無線端末１は、セルラー通信（１０１又は１０２）を介してネットワークから報告要求を受信したことに応答して、発見報告をネットワークに送信してもよい。ネットワークノード（e.g., 基地局２又はD2Dコントローラ３）は、例えば、無線端末１または他の無線端末１からD2D通信のための無線リソースの割り当て要求を受信したことに応答して、当該無線端末１に発見報告の送信を要求してもよい。これに代えて、ネットワークノード（e.g., 基地局２又はD2Dコントローラ３）は、ネットワークレベル・ディスカバリ（e.g. EPC-level ProSe Discovery）による１つの無線端末１と他の無線端末１との近接の検出に応答して、当該１つの無線端末１に発見報告の送信を要求してもよい。既に説明したように、ネットワークレベル・ディスカバリは、当該１つの無線端末と当該他の無線端末との近接を検出するために当該１つの無線端末及び当該他の無線端末の現在位置（e.g., GNSS位置情報）をネットワークにおいて追跡することを含む。
【００４４】
無線端末１は、他の無線端末１から発見信号を受信したがその受信電力が所定値を下回る場合に、当該他の無線端末１の発見を記録しないようにしてもよい。言い換えると、無線端末１は、無線端末１から受信された発見信号の受信電力が所定の閾値を超える場合に限り、当該無線端末１の発見をネットワークに報告してもよい。
【００４５】
続いて以下では、無線端末１による発見信号の送信動作の開始条件の具体例について説明する。一例において、無線端末１は、ネットワークノード（e.g., 基地局２又はD2Dコントローラ３）からの要求の受信に応答して、発見信号の送信動作を開始してもよい。ネットワークノード（e.g., 基地局２又はD2Dコントローラ３）は、例えば、端末間ダイレクトインタフェース（e.g., PC5インタフェース又はサイドリンク）１０３上で同期信号（e.g., Sidelink Synchronization Signal）を送信している無線端末１に対して発見信号の送信を要求してもよい。
【００４６】
いくつかの実装において、無線端末１は、基地局２のカバレッジ境界（セル２１のセルエッジ）の近くにいる場合に、自発的に又はネットワーク（e.g., 基地局２又はD2Dコントローラ３）の指示に従って、他の無線端末１によって検出されるための同期信号（e.g., Sidelink Synchronization Signal）を送信してもよい。いくつかの実装において、無線端末１は、基地局２から送信される無線信号の受信品質（e.g., Reference Signal Received Power（RSRP）又はReference Signal Received Quality（RSRQ））が閾値を下回る場合に自発的に同期信号を送信してもよい。いくつかの実装において、ネットワーク（e.g., 基地局２又はD2Dコントローラ３）は、セルエッジ近くに位置する無線端末１を特定し、当該無線端末に対して同期信号の送信を指示してもよい。いくつかの実装において、ネットワーク（e.g., 基地局２又はD2Dコントローラ３）は、カバレッジ外になりそうであることを示す報告（e.g., RRC measurement report）をいずれかの無線端末１から受信した場合に、当該報告を行った無線端末とは異なり且つセル２１のセルエッジ近くにいる他の無線端末１に同期信号の送信を指示してもよい。
【００４７】
これに代えて、ネットワークノード（e.g., 基地局２又はD2Dコントローラ３）は、ネットワークレベル・ディスカバリ（e.g. EPC-level ProSe Discovery）による１つの無線端末１と他の無線端末１との近接の検出に応答して、当該他の無線端末１に発見信号の送信を要求してもよい。
【００４８】
さらに、これに代えて、ネットワークノード（e.g., 基地局２又はD2Dコントローラ３）は、１つの無線端末又は他の無線端末１が所定の領域内に存在する場合に、当該他の無線端末に発見信号の送信を要求してもよい。所定の領域は、例えば、セル２１のカバレッジ境界（セルエッジ）の近傍の領域であってもよい。
【００４９】
他の例において、無線端末１は、発見信号の送信動作を自発的に開始してもよい。例えば、無線端末１は、予め定められたスケジュールに従って発見信号を送信してもよい。当該スケジュールは、例えば、送信開始時刻と終了時刻（又は送信継続期間）を定めてもよい。さらに又はこれに代えて、無線端末１は、基地局２から送信される無線信号の受信品質（e.g., RSRP又はRSRQ）が閾値を下回る場合に自発的に発見信号の送信を開始してもよい。さらに又はこれに代えて、無線端末１は、他のいずれかの無線端末１から上述の同期信号（e.g., Sidelink Synchronization Signal）を受信したことに応答して、発見信号の送信を開始してもよい。
【００５０】
続いて以下では、無線端末１による発見動作（つまり、発見信号の受信動作）の開始条件の具体例について説明する。一例において、無線端末１は、ネットワーク（e.g., 基地局２又はD2Dコントローラ３）からの要求に従って、発見信号の受信動作を開始してもよい。他の例において、無線端末１は、発見信号の受信動作を自発的に開始してもよい。例えば、無線端末１は、他のいずれかの無線端末１から上述の同期信号（e.g., Sidelink Synchronization Signal）を受信したことに応答して、発見信号の受信動作を開始してもよい。
【００５１】
＜第２の実施形態＞
本実施形態では、第１の実施形態で説明されたダイレクト・ディスカバリ手順の具体例が説明される。本実施形態に係る無線通信ネットワークの構成例は、図１〜図３と同様である。
【００５２】
本実施形態では、無線端末１は、ネットワーク（e.g., 基地局２又はD2Dコントローラ３）からの報告要求の受信に応答して、発見信号の受信動作によって発見した他の無線端末１に関する上述のコンテンツ（ａ）〜（ｅ）のうち少なくとも１つを含む発見報告をネットワークに報告するよう構成されている。これにより、ネットワーク（e.g., 基地局２又はD2Dコントローラ３）は、ネットワークが発見報告を必要とするときに速やかに発見報告を得ることができる。
【００５３】
図５は、本実施形態に係るダイレクト・ディスカバリ手順の一例（処理５００）を示すシーケンス図である。ブロック５０１では、無線端末（MS）１Ｂが発見信号を送信する。ブロック５０２では、無線端末（MS）１Ａは、無線端末１Ｂからの発見信号を受信し、当該受信に関する情報（e.g., 無線端末１Ｂの識別子、無線端末１Ｂが関連付けられている基地局２又はセル２１の識別子、発見信号の受信電力、及び発見信号の累積受信回数）を記録する。
【００５４】
ブロック５０３では、ネットワークノード（ここでは、基地局２１）は、発見報告の要求を無線端末１Ａに送信する。ブロック５０４では、無線端末１Ａは、当該要求の受信に応答して、発見報告をネットワークノード（ここでは、基地局２１）に送信する。当該発見報告は、要求（５０３）の受信時点において発見されている全ての無線端末１に関するコンテンツを含んでもよいし、要求（５０３）において指定されている特定の１又は複数の無線端末１に関するコンテンツを含んでもよい。
【００５５】
図５の例では、発見報告の要求（５０３）の送信および発見報告（５０４）の受信は、基地局２の代わりに他のネットワークノード（e.g., D2Dコントローラ３）により行われてもよい。
【００５６】
図６は、発見報告を行う無線端末１（モニタリング端末）の動作の一例（処理６００）を示すフローチャートである。ブロック６０１では、無線端末１は、少なくとも１つの他の無線端末１の各々から無線送信されるディスカバリ（発見）信号をD2D通信（１０３）を介して受信することによってこれら少なくとも１つの他の無線端末を発見する。ブロック６０２では、無線端末１は、セルラー通信（１０１又は１０２）を介してネットワークから報告要求を受信したことに応答して発見報告をネットワークに送信する。
【００５７】
図７は、ネットワークノード（e.g., 基地局２又はD2コントローラ３）による発見報告を受信動作の一例（処理７００）を示すフローチャートである。ブロック７０１では、ネットワークノードは、発見報告を送信するよう無線端末１に要求する。ブロック７０２では、ネットワークノードは、セルラー通信（１０１又は１０２）を介して無線端末１から報告要求を受信する。
【００５８】
＜第３の実施形態＞
本実施形態では、第１の実施形態で説明されたダイレクト・ディスカバリ手順の具体例が説明される。本実施形態に係る無線通信ネットワークの構成例は、図１〜図３と同様である。
【００５９】
本実施形態では、ネットワークノード（e.g., 基地局２又はD2コントローラ３）は、発見信号（発見メッセージ）の送信の指示（要求）を無線端末１に送信するよう構成されている。一方、無線端末１は、ネットワーク（e.g., 基地局２又はD2Dコントローラ３）からの指示（要求）の受信に応答して、発見信号（発見メッセージ）の送信を開始するよう構成されている。これにより、ネットワーク（e.g., 基地局２又はD2Dコントローラ３）は、発見信号を送信する端末を指定することができる。さらに、無線端末１による発見信号の送信タイミングをネットワークが制御することで、D2D通信の干渉の低減に寄与できる。
【００６０】
ネットワークノードは、第１の実施形態で説明された幾つかの条件のうち１つが成立する場合に、無線端末１に対して発見信号の送信を要求してもよい。すなわち、一例においてネットワークノードは、端末間ダイレクトインタフェース（e.g., PC5インタフェース又はサイドリンク）１０３上で同期信号（e.g., Sidelink Synchronization Signal）を送信している無線端末１に対して発見信号の送信を要求してもよい。他の例において、ネットワークノードは、ネットワークレベル・ディスカバリ（e.g. EPC-level ProSe Discovery）による１つの無線端末１と他の無線端末１との近接の検出に応答して、当該他の無線端末１に発見信号の送信を要求してもよい。さらに他の例において、ネットワークノードは、１つの無線端末又は他の無線端末１が所定の領域内に存在する場合に、当該他の無線端末に発見信号の送信を要求してもよい。所定の領域は、例えば、セル２１のカバレッジ境界（セルエッジ）の近傍の領域であってもよい。
【００６１】
図８は、本実施形態に係るダイレクト・ディスカバリ手順の一例（処理８００）を示すシーケンス図である。ブロック８０１では、ネットワークノード（ここでは、基地局２１）は、発見信号の送信要求を無線端末（MS）１Ｂに送信する。ブロック８０２では、無線端末１Ｂは、要求（８０１）の受信に応答して、発見信号の送信を開始する。ブロック８０３では、無線端末１Ａは、無線端末１Ｂからの発見信号を受信し、発見報告をネットワークノード（ここでは、基地局２１）に送信する。なお、発見信号の送信要求（８０１）の送信および発見報告（８０３）の受信は、基地局２の代わりに他のネットワークノード（e.g., D2Dコントローラ３）により行われてもよい。
【００６２】
図９は、発見信号を送信する無線端末１（アナウンシング端末）の動作の一例（処理９００）を示すフローチャートである。ブロック９０１では、無線端末１は、セルラー通信を介してネットワークから発見信号の送信要求を受信する。ブロック９０２では、無線端末１は、送信要求の受信に応答して発見信号の送信を開始する。
【００６３】
＜第４の実施形態＞
本実施形態では、第１の実施形態で説明されたダイレクト・ディスカバリ手順の具体例が説明される。本実施形態に係る無線通信ネットワークの構成例は、図１〜図３と同様である。
【００６４】
本実施形態では、無線端末１は、発見信号（発見メッセージ）の送信を自発的に開始するよう構成されている。これにより、無線端末１は、ネットワークとの通信を必要とせずに発見信号の送信を開始することができるため、ネットワークとの通信ができない状況でも発見信号を送信できる。さらに、無線端末１による自発的な発見信号の送信条件を定めることで、D2D通信の干渉の低減に寄与できる。
【００６５】
無線端末１は、第１の実施形態で説明された幾つかの条件のうち１つが成立する場合に、発見信号の送信を開始してもよい。すなわち、一例において、無線端末１は、予め定められたスケジュールに従って発見信号を送信してもよい。他の例において、無線端末１は、基地局２から送信される無線信号の受信品質（e.g., RSRP又はRSRQ）が閾値を下回る場合に自発的に発見信号の送信を開始してもよい。さらに他の例において、無線端末１は、他のいずれかの無線端末１から上述の同期信号（e.g., Sidelink Synchronization Signal）を受信したことに応答して、発見信号の送信を開始してもよい。
【００６６】
図１０は、本実施形態に係るダイレクト・ディスカバリ手順の一例（処理１０００）を示すシーケンス図である。ブロック１００１では、無線端末１Ｂは、発見信号の送信を自発的に決定する。ブロック１００２では、無線端末１Ｂは、発見信号を送信する。ブロック１００３では、無線端末１Ａは、無線端末１Ｂからの発見信号を受信し、発見報告をネットワークノード（ここでは、基地局２１）に送信する。なお、発見報告（１００３）の受信は、基地局２の代わりに他のネットワークノード（e.g., D2Dコントローラ３）により行われてもよい。
【００６７】
最後に、上述の複数の実施形態に係る無線端末１、基地局２、及びD2Dコントローラ３の構成例について説明する。図１１は、無線端末１の構成例を示すブロック図である。Radio Frequency（RF）トランシーバ１１０１は、基地局２と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【００６８】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００６９】
例えば、LTEおよびLTE-Advancedの場合、ベースバンドプロセッサ１１０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【００７０】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【００７１】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、無線端末１の各種機能を実現する。
【００７２】
いくつかの実装において、図１１に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００７３】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００７４】
メモリ１１０６は、上述の複数の実施形態で説明された無線端末１による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態でシーケンス図及びフローチャートを用いて説明された無線端末１の処理を行うよう構成されてもよい。
【００７５】
図１２は、上述の実施形態に係る基地局２の構成例を示すブロック図である。図１２を参照すると、基地局２は、RFトランシーバ１２０１、ネットワークインターフェース１２０３、プロセッサ１２０４、及びメモリ１２０５を含む。RFトランシーバ１２０１は、無線端末１と通信するためにアナログRF信号処理を行う。RFトランシーバ１２０１は、複数のトランシーバを含んでもよい。RFトランシーバ１２０１は、アンテナ１２０２及びプロセッサ１２０４と結合される。RFトランシーバ１２０１は、変調シンボルデータ（又はOFDMシンボルデータ）をプロセッサ１２０４から受信し、送信RF信号を生成し、送信RF信号をアンテナ１２０２に供給する。また、RFトランシーバ１２０１は、アンテナ１２０２によって受信された受信ＲＦ信号に基づいてベースバンド受信信号を生成し、これをプロセッサ１２０４に供給する。
【００７６】
ネットワークインターフェース１２０３は、ネットワークノード（e.g., Mobility Management Entity (MME)およびServing Gateway (S-GW)）と通信するために使用される。ネットワークインターフェース１２０３は、例えば、IEEE 802.3 seriesに準拠したネットワークインターフェースカード（NIC）を含んでもよい。
【００７７】
プロセッサ１２０４は、無線通信のためのデジタルベースバンド信号処理（データプレーン処理）とコントロールプレーン処理を行う。例えば、LTEおよびLTE-Advancedの場合、プロセッサ１２０４によるデジタルベースバンド信号処理は、PDCPレイヤ、RLCレイヤ、MACレイヤ、およびPHYレイヤの信号処理を含んでもよい。また、プロセッサ１２０４によるコントロールプレーン処理は、S1プロトコル、RRCプロトコル、及びMAC CEの処理を含んでもよい。
【００７８】
プロセッサ１２０４は、複数のプロセッサを含んでもよい。例えば、プロセッサ１２０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【００７９】
メモリ１２０５は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１２０５は、プロセッサ１２０４から離れて配置されたストレージを含んでもよい。この場合、プロセッサ１２０４は、ネットワークインターフェース１２０３又は図示されていないI/Oインタフェースを介してメモリ１２０５にアクセスしてもよい。
【００８０】
メモリ１２０５は、上述の複数の実施形態で説明された基地局２による処理を行うための命令群およびデータを含むソフトウェアモジュール（コンピュータプログラム）を格納してもよい。いくつかの実装において、プロセッサ１２０４は、当該ソフトウェアモジュールをメモリ１２０５から読み出して実行することで、上述の実施形態でてシーケンス図及びフローチャートを用いて説明された基地局２の処理を行うよう構成されてもよい。
【００８１】
図１３は、上述の実施形態に係るD2Dコントローラ３の構成例を示すブロック図である。図１３を参照すると、D2Dコントローラ３は、ネットワークインターフェース１３０１、プロセッサ１３０２、及びメモリ１３０３を含む。ネットワークインターフェース１３０１は、無線端末１と通信するために使用される。ネットワークインターフェース１３０１は、例えば、IEEE 802.3 seriesに準拠したネットワークインタフェースカード（NIC）を含んでもよい。
【００８２】
プロセッサ１３０２は、メモリ１３０３からソフトウェア（コンピュータプログラム）を読み出して実行することで、上述の実施形態においてシーケンス図及びフローチャートを用いて説明されたD2Dコントローラ３の処理を行う。プロセッサ１３０２は、例えば、マイクロプロセッサ、MPU、又はCPUであってもよい。プロセッサ１３０２は、複数のプロセッサを含んでもよい。
【００８３】
メモリ１３０３は、揮発性メモリ及び不揮発性メモリの組み合わせによって構成される。メモリ１３０３は、プロセッサ１３０２から離れて配置されたストレージを含んでもよい。この場合、プロセッサ１３０２は、図示されていないI/Oインタフェースを介してメモリ１３０３にアクセスしてもよい。
【００８４】
図１３の例では、メモリ１３０３は、D2D通信のための制御モジュールを含むソフトウェアモジュール群を格納するために使用される。プロセッサ１３０２は、これらのソフトウェアモジュール群をメモリ１３０３から読み出して実行することで、上述の実施形態において説明されたD2Dコントローラ３の処理を行うことができる。
【００８５】
図１１〜図１３を用いて説明したように、上述の実施形態に係る無線端末１、基地局２、及びD2Dコントローラ３が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８６】
＜その他の実施形態＞
上述の実施形態は、各々独立に実施されてもよいし、適宜組み合わせて実施されてもよい。
【００８７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００８８】
この出願は、２０１５年６月２日に出願された日本出願特願２０１５−１１２６９９を基礎とする優先権を主張し、その開示の全てをここに取り込む。
【符号の説明】
【００８９】
１  無線端末
２  基地局
３  device-to-device（D2D）コントローラ
１１０１  radio frequency（RF）トランシーバ
１１０３  ベースバンドプロセッサ
１１０４  アプリケーションプロセッサ
１１０６  メモリ
１２０１  RFトランシーバ
１２０４  プロセッサ
１２０５  メモリ
１３０２  プロセッサ
１３０３  メモリ
【図１】
2016194264.tif 000003
【図２】
2016194264.tif 000004
【図３】
2016194264.tif 000005
【図４】
2016194264.tif 000006
【図５】
2016194264.tif 000007
【図６】
2016194264.tif 000008
【図７】
2016194264.tif 000009
【図８】
2016194264.tif 000010
【図９】
2016194264.tif 000011
【図１０】
2016194264.tif 000012
【図１１】
2016194264.tif 000013
【図１２】
2016194264.tif 000014
【図１３】
2016194264.tif 000015
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
少なくとも１つの無線トランシーバと、
セルラー通信およびデバイス・ツー・デバイス（Ｄ２Ｄ）通信を前記少なくとも１つの無線トランシーバを使用して行うよう構成された少なくとも１つのプロセッサと、
を備え、
前記少なくとも１つのプロセッサは、少なくとも１つの他の無線端末の各々から無線送信される発見信号を前記Ｄ２Ｄ通信を介して受信するよう構成されるとともに、前記セルラー通信を介してネットワークに発見報告を送信するよう構成され、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
無線端末装置。
【請求項２】
前記少なくとも１つのプロセッサは、前記セルラー通信を介して前記ネットワークから報告要求を受信したことに応答して、前記発見報告を前記ネットワークに送信するよう構成されている、
請求項１に記載の無線端末装置。
【請求項３】
前記報告要求は、前記無線端末装置又は前記少なくとも１つの他の無線端末のいずれかからＤ２Ｄ通信のための情報を受信したことに応答して前記ネットワークから送信される、
請求項２に記載の無線端末装置。
【請求項４】
前記報告要求は、ネットワークレベル・ディスカバリによる前記無線端末装置と前記少なくとも１つの他の無線端末との近接の検出に応答して前記ネットワークから送信され、
前記ネットワークレベル・ディスカバリは、前記無線端末装置と前記少なくとも１つの他の無線端末との近接を検出するために前記無線端末装置および前記少なくとも１つの他の無線端末の現在位置を前記ネットワークにおいて追跡することを含む、
請求項２に記載の無線端末装置。
【請求項５】
前記少なくとも１つのプロセッサは、過去に発見していない無線端末から前記発見信号を受信した場合に、前記発見報告を前記ネットワークに送信するよう構成されている、
請求項１に記載の無線端末装置。
【請求項６】
前記少なくとも１つのプロセッサは、過去に前記発見信号を受信した無線端末から前記発見信号を新たに受信する前に所定期間が満了した場合に、前記発見報告を前記ネットワークに送信するよう構成されている、
請求項１に記載の無線端末装置。
【請求項７】
無線端末装置における方法であって、
少なくとも１つの他の無線端末の各々から無線送信される発見信号をデバイス・ツー・デバイス（Ｄ２Ｄ）通信を介して受信すること、及び
セルラー通信を介してネットワークに発見報告を送信すること、
を備え、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
方法。
【請求項８】
無線端末装置における方法をコンピュータに行わせるためのプログラムであって、
前記方法は、
少なくとも１つの他の無線端末の各々から無線送信される発見信号をデバイス・ツー・デバイス（Ｄ２Ｄ）通信を介して受信する、及び
セルラー通信を介してネットワークに発見報告を送信すること、
を備え、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
プログラム。
【請求項９】
メモリと、
前記メモリに結合されたプロセッサと、
を備え、
前記少なくとも１つのプロセッサは、セルラー通信を介して第１の無線端末から発見報告を受信するよう構成され、
前記発見報告は、前記第１の無線端末が少なくとも１つの他の無線端末の各々から無線送信される発見信号を受信した前記少なくとも１つの他の無線端末に関し、
前記発見報告は、（ａ）前記少なくとも１つの他の無線端末の各々の識別子、（ｂ）前記少なくとも１つの他の無線端末の各々が属する１又は複数のＤ２Ｄ通信ペアの識別子、（ｃ）前記少なくとも１つの他の無線端末の各々が関連付けられている基地局又はセルの識別子、（ｄ）前記少なくとも１つの他の無線端末の各々からの前記発見信号の受信電力、及び（ｅ）前記少なくとも１つの他の無線端末の各々からの前記発見信号の検出回数のうち少なくとも１つを示す、
ネットワークノード。
【請求項１０】
無線端末装置であって、
少なくとも１つの無線トランシーバと、
セルラー通信およびデバイス・ツー・デバイス（Ｄ２Ｄ）通信を前記少なくとも１つの無線トランシーバを使用して行うよう構成された少なくとも１つのプロセッサと、
を備え、
前記少なくとも１つのプロセッサは、いずれかの無線端末から同期信号を受信したことに応答して、前記少なくとも１つの無線トランシーバを用いた発見信号の送信動作を開始するよう構成され、
前記発見信号は、前記無線端末装置を発見するために他の無線端末によって使用される、
無線端末装置。
【国際調査報告】
2016194264.tif 000016
2016194264.tif 000017
2016194264.tif 000018
2016194264.tif 000019